(57)【要約】【課題】適度な難易度で幼児が飽きずに遊ぶことができる駒体移送玩具を提供する。【解決手段】正面視円形に形成され、溝部が対向して設けられる駒体１０と、駒体１０を下方から上方に移送させる駒体上昇移送部３０と、駒体を上方から下方に移送させる駒体下降移送部８０と、を有する。駒体上昇移送部３０は、盤面３２を正面側にして立設する盤面部材３５と、押しボタン５１と、盤面部材３５に搖動自在に設けられ、駒体を載置可能に形成され、段違いに対向して複数設けられ、押しボタンの操作により、載置された駒体１０を一段上方に投射して移送させる複数の駒体載置部材４１が設けられる。駒体下降移送部８０は、横架部材８６により、はしご下りの要領で駒体１０が上方から下方へ移送される。駒体上昇移送部３０と駒体下降移送部８０は、上開口部７２と下開口部７３により、両者間を駒体１０が移送される。【選択図】  図１
2015217210.tif 000002
【特許請求の範囲】
【請求項１】
正面視円形に形成され、側面に二箇所の溝部が対向して設けられる駒体と、
前記駒体を下方から上方に移送させる駒体上昇移送部と、
前記駒体を上方から下方に移送させる駒体下降移送部と、
を有し、
前記駒体上昇移送部は、
平板状に形成され、盤面を正面側にして立設する盤面部材と、
押しボタンと、
前記盤面部材に搖動自在に設けられ、前記駒体を載置可能に形成され、段違いに対向して複数設けられ、前記押しボタンの操作により、載置された前記駒体を一段上方に投射して移送させる複数の駒体載置部材と、
最上段の前記駒体載置部材の上方に設けられ、最上段の前記駒体載置部材から移送される前記駒体を受ける駒体受部と、を有し、
前記駒体下降移送部は、
上下方向に長く枠状に形成される枠状部と、
前記枠状部に横架され、前記駒体の前記溝部と係脱自在に形成される複数の横架部材と、
最下段の前記横架部材の下に形成され、前記駒体を転動させてガイドするガイドレール部と、を有し、
前記駒体上昇移送部と前記駒体下降移送部は、前記駒体受部から最上段の前記横架部材へと前記駒体を転動させて移送される上部連結部と、前記ガイドレール部から最下段の前記駒体載置部材へと前記駒体を転動させて移送される下部連結部と、により連結されることを特徴とする駒体移送玩具。
【請求項２】
前記駒体上昇移送部は、
前記盤面部材に回動自在に複数設けられ、前面側に各前記駒体載置部材が固定され、後面側に各前記駒体載置部材と反対側に延在する搖動アームが固定される搖動軸と、
前記盤面部材の後面で上下に摺動自在にガイドされ、下方向に付勢される作動杆と、
前記作動杆に固定され、各前記搖動アームの上方から各前記搖動アームに当接する複数の張出部と、
を有することを特徴とする請求項１に記載の駒体移送玩具。
【請求項３】
前記駒体上昇移送部は、
搖動自在に支持され、長手方向に伸びる本体の一端は前記作動杆の下端と係脱自在に係合され、他端は前記押しボタンと係合され、他端は上方に付勢される搖動係脱部材を有し、
前記搖動係脱部材は、前記押しボタンを押すと一端側が上昇し、前記作動杆の上昇限近傍で前記搖動係脱部材の一端と前記作動杆の下端との係合が解除され、前記作動杆が下限近傍において前記搖動係脱部材の一端と前記作動杆の下端とが係合されることを特徴とする請求項２に記載の駒体移送玩具。
【請求項４】
前記駒体上昇移送部と前記駒体下降移送部は隣接して設けられるとともに、前記上部連結部及び前記下部連結部は、前記駒体上昇移送部と前記駒体下降移送部とが接続する接続壁に開口された開口部として形成されることを特徴とする請求項１乃至請求項３の何れか記載の駒体移送玩具。
【請求項５】
前記駒体下降移送部は、前記駒体を一つずつ前記ガイドレール部から最下段の前記駒体載置部材へと前記駒体を転動させて移送するゲート部を有することを特徴とする請求項１乃至請求項４の何れか記載の駒体移送玩具。
【請求項６】
前記横架部材は、前後方向の幅よりも上下方向の幅が広く、前記駒体の前記溝部は、前記横架部材の前記上下方向幅よりも僅かに広い円筒部と、前記横架部材の前記上下方向幅よりも狭く前記前後方向幅よりも僅かに広い開口端部を有する請求項１乃至請求項５の何れか記載の駒体移送玩具。
【発明の詳細な説明】
【技術分野】
【０００１】
本発明は、駒体を順次移送させて駒体が移動する様を楽しんで遊ぶことができる玩具に関する。
【背景技術】
【０００２】
従来、平板状の盤面上に図柄等を配置して、順次駒体を移送させて楽しめる玩具が各種提供されている。このような玩具のうち、例えば特許文献１には、盤面の右側及び左側に段違いに対向して傾斜する棚を複数設けた玩具が開示されている。この玩具によれば、盤面の棚に設けられた操作レバーにより、押し出し部を付勢力に抗して操作して、この押し出し部を遊戯用円盤に勢いよく当接させる。すると、遊戯用円盤は、対向する一段上方の棚に向けて投射されて、移送される。ゆえに、使用者は、盤面の上方に設けたゴールまで遊戯用円盤を順次移送させて遊ぶことができる。
【０００３】
一方、いわゆる「はしご下り」と呼ばれる玩具が従来から提供されている。特許文献２には、はしご状に形成された競争枠の上端を出発点とし、下端を終着点として競争駒を上方から下方に向けて、はしご下りの要領で移送させる玩具が開示されている。この玩具によれば、競争駒は上下に凹溝が形成され、表面に番号札が取り付けられ、裏面に競走馬が描かれる。出発点から同時に複数の競争駒をスタートさせれば、それぞれの競争駒の番号札と競走馬の絵が交互に前面に表れながら、あたかも競走馬が競争しているように競争駒が上方から下方まで移送される。
【先行技術文献】
【特許文献】
【０００４】
【特許文献１】特開平１１−２６７３４９号公報
【特許文献２】実公昭２８−１６１７
【発明の概要】
【発明が解決しようとする課題】
【０００５】
特許文献１に開示される玩具においては、遊戯用円盤を投射して移送させる毎に、使用者は個々の棚に設けられた押し出し部を正確に操作しなければならず、非常に煩雑である。よって、幼児が遊ぶものとしては難易度が高いものとなっていた。一方、特許文献２に開示される玩具においては、競走馬を模した駒体が競争枠下端の終着点に到着した時点でゲームが終了してしまうので、幼児にとっては面白みに欠けるという側面がある。
【０００６】
本発明は、幼児にとって適度な難易度で遊ぶことができ、さらに駒体が連続して移送されることで面白みが増した駒体移送玩具を提供することを目的とする。
【課題を解決するための手段】
【０００７】
本発明に係る駒体移送玩具は、正面視円形に形成され、側面に二箇所の溝部が対向して設けられる駒体と、前記駒体を下方から上方に移送させる駒体上昇移送部と、前記駒体を上方から下方に移送させる駒体下降移送部と、を有し、前記駒体上昇移送部は、平板状に形成され、盤面を正面側にして立設する盤面部材と、押しボタンと、前記盤面部材に搖動自在に設けられ、前記駒体を載置可能に形成され、段違いに対向して複数設けられ、前記押しボタンの操作により、載置された前記駒体を一段上方に投射して移送させる複数の駒体載置部材と、最上段の前記駒体載置部材の上方に設けられ、最上段の前記駒体載置部材から移送される前記駒体を受ける駒体受部と、を有し、前記駒体下降移送部は、上下方向に長く枠状に形成される枠状部と、前記枠状部に横架され、前記駒体の前記溝部と係脱自在に形成される複数の横架部材と、最下段の前記横架部材の下に形成され、前記駒体を転動させてガイドするガイドレール部と、を有し、前記駒体上昇移送部と前記駒体下降移送部は、前記駒体受部から最上段の前記横架部材へと前記駒体を転動させて移送される上部連結部と、前記ガイドレール部から最下段の前記駒体載置部材へと前記駒体を転動させて移送される下部連結部と、により連結される。
【０００８】
また、前記駒体上昇移送部は、前記盤面部材に回動自在に複数設けられ、前面側に各前記駒体載置部材が固定され、後面側に各前記駒体載置部材と反対側に延在する搖動アームが固定される搖動軸と、前記盤面部材の後面で上下に摺動自在にガイドされ、下方向に付勢される作動杆と、前記作動杆に固定され、各前記搖動アームの上方から各前記搖動アームに当接する複数の張出部と、を有する。
【０００９】
また、前記駒体上昇移送部は、搖動自在に支持され、長手方向に伸びる本体の一端は前記作動杆の下端と係脱自在に係合され、他端は前記押しボタンと係合され、他端は上方に付勢される搖動係脱部材を有し、前記搖動係脱部材は、前記押しボタンを押すと一端側が上昇し、前記作動杆の上昇限近傍で前記搖動係脱部材の一端と前記作動杆の下端との係合が解除され、前記作動杆が下限近傍において前記搖動係脱部材の一端と前記作動杆の下端とが係合される。
【００１０】
また、前記駒体上昇移送部と前記駒体下降移送部は隣接して設けられるとともに、前記上部連結部及び前記下部連結部は、前記駒体上昇移送部と前記駒体下降移送部とが接続する接続壁に開口された開口部として形成される。
【００１１】
また、前記駒体下降移送部は、前記駒体を一つずつ前記ガイドレール部から最下段の前記駒体載置部材へと前記駒体を転動させて移送するゲート部を有する。
【００１２】
また、前記横架部材は、前後方向の幅よりも上下方向の幅が広く、前記駒体の前記溝部は、前記横架部材の前記上下方向幅よりも僅かに広い円筒部と、前記横架部材の前記上下方向幅よりも狭く前記前後方向幅よりも僅かに広い開口端部を有する。
【発明の効果】
【００１３】
本発明に係る駒体移送玩具によれば、正面視円形に形成される駒体が、一つの押しボタンの操作により、駒体上昇移送部において下方から上方に投射されて移送される。そして、駒体は、上部連結部を介して駒体上昇移送部から駒体下降移送部に移送される。駒体下降移送部においては、はしご下りの要領で、上方から下方に移送される。そして、駒体は、下部連結部を介して、再度駒体上昇移送部に移送される。
【００１４】
これにより、一つの押しボタン操作のみにより、駒体上昇移送部において駒体を下方から上方に順次移送させることができるので、幼児にとって適度な難易度で操作を理解して遊ぶことができる。さらに、駒体は、下方から上方へは投射により移送され、上方から下方へははしご下りにより移送されるので、面白みのある駒体移送玩具を提供することができる。そして、駒体の移送は、上昇と下降を連続的に行うことができるので、遊びが途切れることなく、連続的に遊ぶことができる。
【００１５】
また、駒体載置部材の搖動運動は、盤面部材の背面に形成される作動杆や搖動アームにより駆動される。幼児は、直接これらの駆動機構を見ることがない。よって、搖動する駒体載置部材を不思議な思いで見ながら遊ぶことができ、飽きることなく楽しむことができる。
【００１６】
また、作動杆は、搖動係脱部材と係脱されるので、付勢部材の付勢力により勢いよく下降する。よって、駒体載置部材は勢いよく駒体を投射する。これにより、比較的容易に一段上の駒体載置部材に駒体が投射されるので、幼児にとって遊びやすい駒体移送玩具を提供することができる。
【００１７】
また、駒体上昇移送部と駒体下降移送部は隣接して設けられ、上部連結部と下部連結部は開口部として設けられる。これにより、駒体上昇移送部と駒体下降移送部を一体として形成することができるので、駒体移送玩具をコンパクトに形成することができる。
【００１８】
また、下部連結部には、ガイドレール部から駒体を一つずつ駒体載置部材へ移送するゲート部が設けられる。これにより、駒体載置部材に複数の駒体が載置されることを防止し、駒体載置部材の駒体の投射をより確実に行うことができる。
【００１９】
また、駒体に形成される溝部は、横架部材の上下方向の幅より広い円筒部と、横架部材の上下方向の幅より狭く、横架部材の前後方向の幅より僅かに広い開口端部とによりなる。これにより、駒体は、横架部材に対して溝部が垂直方向にある場合には係脱自在であり、駒体が横架部材回りに回転しているときには横架部材と溝部の係合状態が維持される。よって、駒体の駒体下降移送部における上方から下方への移送を、失敗することなく、確実に行うことができる。
【図面の簡単な説明】
【００２０】
【図１】本発明の実施形態に係る駒体移送玩具の前方斜視図である。
【図２】本発明の実施形態に係る駒体移送玩具の押しボタンを押した状態における前方斜視図である。
【図３】本発明の実施形態に係る駒体移送玩具の背面カバーを省略した後方斜視図である。
【図４】本発明の実施形態に係る駒体移送玩具の駒体上昇移送部における盤面部材を省略し、駒体載置部材の駆動機構を表した後面図である。
【図５】本発明の実施形態に係る駒体移送玩具の搖動軸回りを示す図４のＶ−Ｖ断面図である。
【図６】本発明の実施形態に係る駒体移送玩具の押しボタン操作により作動杆を上下させる動作説明に係る図４のＶＩ−ＶＩ断面図である。（ａ）は押しボタンが押される前の図であり、（ｂ）は押しボタンが押され、作動杆が上昇限近傍に位置している状態を示す図である。
【図７】本発明の実施形態に係る駒体移送玩具の押しボタン操作により作動杆を上下させる動作説明に係る図４のＶＩ−ＶＩ断面図である。（ａ）は押しボタンから手を離し、作動杆が下降する途中の図であり、（ｂ）は作動杆が下降限近傍に位置している状態を示す図である。
【図８】本発明の実施形態に係る駒体移送玩具の駒体下降移送部における駒体が、はしご下りにより上方から下方に移動することを示す模式図である。（ａ）は上側の横架部材に駒体が係合している状態を示し、（ｂ）は下側の横架部材に駒体が係合している状態を示す。
【図９】本発明の実施形態に係る駒体移送玩具の駒体下降移送部におけるガイドレール部の内部を後面から見た図である。（ａ）は操作レバーが押されていない状態を示し、（ｂ）は操作レバーが押された状態を示す。
【発明を実施するための形態】
【００２１】
以下、図に基づいて本発明の実施形態を説明する。図１は駒体移送玩具１を前方から見た斜視図である。この駒体移送玩具１は、正面視左側を駒体上昇移送部３０とし、右側を駒体下降移送部８０として形成されている。また、駒体移送玩具１で使用する駒体１０は、正面視円形に形成される。この駒体１０は、駒体移送玩具１の収納時には駒体収納部８１に収納されている。
【００２２】
駒体移送玩具１の遊び方を説明する。先ず、駒体収納部８１に収納されている駒体１０を一つ取り出す。そして、駒体下降移送部８０の天面に開口している投入口８２に駒体１０を投入する。すると、駒体１０は、いわゆる「はしご下り」の要領で、駒体下降移送部８０を下降する。
【００２３】
下降し終えた駒体１０は、ガイドレール部８３上に落下し、左側に転がって、ガイドレール部８３の左端で、レバー９１と一体に形成された当接部材と当接して一旦停止される。そして、レバー９１を押し下げると、駒体１０は左側の駒体上昇移送部３０へと転がっていく。そして、駒体１０は、駒体１０を載置可能に形成された複数の駒体載置部材４１のうち、最下段の駒体載置部材４１に載置される。駒体載置部材４１は、盤面３２上に互いに対向して４個設けられている。駒体載置部材４１は、押しボタン５１を押すと、図２に示すように下方に傾斜される。そして、押しボタン５１を押し切ると、駒体載置部材４１は、盤面３２の後ろに形成された駆動機構により、図１の状態に勢いよく復帰する。このとき、最下段の駒体載置部材４１に載置されている駒体１０は、駒体１０が載置されている駒体載置部材４１と対向して一段上に設けられる駒体載置部材４１に向けて投射される。
【００２４】
このようにして、押しボタン５１を押す毎に、駒体１０は、対向する一段上の駒体載置部材４１に向けて投射され移送される。そして、最上段の駒体載置部材４１から投射された駒体１０は、駒体受部３４に向けて投射される。駒体１０は、駒体受部３４に投射されると、駒体下降移送部８０に向けて転がり、再度、はしご下りの要領で下降される。なお、上段の駒体載置部材４１への移送が失敗し、駒体１０が落下したときは、駒体排出部３８から駒体１０を取り出すことができる。
【００２５】
以上の通り、駒体移送玩具１では、駒体下降移送部８０と駒体上昇移送部３０により、駒体１０の下降と上昇を繰り返して遊ぶことができる。
【００２６】
次に、駒体移送玩具１の構成を説明する。駒体移送玩具１は、前述の通り、駒体上昇移送部３０と、駒体下降移送部８０とが隣接して接続される。具体的には、駒体上昇移送部３０と駒体下降移送部８０とが隣り合う境界に上下方向に長い接続壁７１が形成されている。そして、接続壁７１の上部には、駒体上昇移送部３０から駒体下降移送部８０へ駒体１０が転動して移動可能なように、上部連結部としての上開口部７２が形成されている。一方、接続壁７１の下部には、駒体下降移送部８０から駒体上昇移送部３０へ駒体１０が転動して移動可能なように下部連結部としての下開口部７３が形成されている。このように、本実施形態において、上部連結部及び下部連結部は開口部として形成されている。
【００２７】
駒体上昇移送部３０は、ベース部５０から盤面部材３５が立設する。盤面部材３５は平板状に形成され、正面側の面に盤面３２が形成されている。盤面３２の回りは壁部３６により囲まれる。盤面３２の前方には、透明板３７が設けられている。
【００２８】
透明板３７の左側下方には、切欠き状にして開口される駒体排出部３８が形成されている。駒体排出部３８の後側には、駒体排出ガイド部３９が形成されている。駒体排出ガイド部３９は、複数の板状部材が透明板３７から後方に向けて立設することにより形成される。駒体排出ガイド部３９は、駒体載置部材４１からの投射に失敗してこぼれ落ちた駒体１０をガイドして、駒体排出部３８から駒体１０を排出させる。
【００２９】
透明板３７の右上上方には、駒体受部３４が形成されている。駒体受部３４は、盤面部材３５の盤面３２に対して相対的に固定して設けられている。具体的には、駒体受部３４は、透明板３７の内面から盤面３２に向けて立設する平板が、右側が下方になるよう傾斜して形成されている。このように、本実施形態においては、駒体受部３４は透明板３７に立設して形成されているが、盤面３２から前方に向けて立設するように形成してもよい。駒体受部３４の上方の透明板３７の内面には、駒体受部３４を転動する駒体１０をガイドするガイド部３３が形成されている。ガイド部３３は、左右方向に伸びる突条が上下平行に二本設けられている。
【００３０】
盤面３２上には、駒体載置部材４１が複数設けられている。本実施形態においては、四個の駒体載置部材４１が設けられている。この四個の駒体載置部材４１は、段違いに対向して配置される。
【００３１】
図３は、駒体上昇移送部３０の背面カバーを省略して駒体移送玩具１を後面から見た斜視図である。各駒体載置部材４１は、盤面部材３５を介して、各駒体載置部材４１に対応する搖動アーム４６と連結される。また、駒体上昇移送部３０の中心には、上下方向に長く形成され、上下に動作する作動杆５２が設けられている。
【００３２】
次に、図４により、駒体載置部材４１の構成を説明する。図４は、盤面部材３５を省略して、駒体上昇移送部３０を後面から見た図である。駒体載置部材４１には、異形に形成された平板状の絵柄板４２が設けられる。絵柄板４２は、正面側の平坦面にキャラクタ等の絵柄が記載される。この絵柄板４２の後面には、駒体載置部４３が形成されている。駒体載置部４３は、平面視半円形の開口部が上方を向くように形成されるので、投射された駒体１０を上方から受けることができ、さらに円形の駒体１０が転動して転がり落ちることがない。
【００３３】
また、絵柄板４２には、絵柄板４２の駒体載置部４３に対応する部位から平板状に立設される駒体ガイド部４２ａが形成されている。駒体ガイド部４２ａは、側面視において底辺を駒体載置部４３に接するようにした三角形状に形成されている。駒体ガイド部４２ａにより、投射された駒体１０がガイドされ、駒体載置部４３に載置される。そして、駒体ガイド部４２ａにより、駒体載置部４３に載置された駒体１０は、絵柄板４２と離間されるので、駒体１０の投射の際に絵柄板４２と駒体１０が面接触することがなく、スムーズに投射がされることとなる。
【００３４】
そして、駒体載置部４３からは、支持杆部４４が作動杆５２に向けて延在する。支持杆部４４の先端からは、後方に向けて搖動軸４５が突出している。搖動軸４５の端部には、搖動アーム４６が固定されている。搖動アーム４６は、駒体載置部材４１と反対側であって、作動杆５２と交差するようにして延在している。換言すれば、駒体上昇移送部３０の中心に向けて駒体載置部材４１から延在している。搖動アーム４６は、略中央部分で上方に屈折した長尺状に形成されている。
【００３５】
ここで、図５の断面図により、搖動軸４５周りの構造を説明する。図５は、盤面部材３５を省略せずに表した状態の図４におけるＶ−Ｖ断面図である。前面側に配置される駒体載置部材４１の支持杆部４４から後方に向けて突出する搖動軸４５は、盤面部材３５の軸受部材４７により支持されている。断面を円形に形成される搖動軸４５は、その突端部分に平坦部４５ａが形成されている。一方、搖動アーム４６には、この搖動軸４５と合わせて、平坦部４５ａと合わせられる平坦面を有する穴部４６ａが形成される。そして、搖動軸４５は穴部４６ａに挿入される。このようにして、平坦部４５ａと合う平坦面を有する穴部４６ａに搖動軸４５が挿入されるので、搖動アーム４６は、盤面部材３５の後面側から搖動軸４５を介して駒体載置部材４１と相対的に固定される。従って、搖動アーム４６及び駒体載置部材４１は同期して搖動軸４５回りに搖動される。
【００３６】
図３及び図４に示すように、作動杆５２は、上下方向に長く延びる平板状に形成されている。作動杆５２の側面からは、複数の張出部５３が水平方向に突出している。張出部５３は、搖動アーム４６に対応して四か所に設けられている。張出部５３は、搖動アーム４６が作動杆５２を超えた先の搖動アーム４６の先端部方向に平板状に突出する突出板５３ａと、突出板５３ａから円筒状に後方に向けて立設する当接部５３ｂにより形成される。当接部５３ｂは、その側面が搖動アーム４６の先端部上面と当接し、搖動アーム４６の上方への移動を規制している。すなわち、駒体載置部材４１は自重により下がるので、搖動アーム４６は、搖動軸４５回りに上方に回動する。そして、搖動アーム４６の先端部上面が張出部５３の当接部５３ｂと当接することにより、搖動アーム４６は上方への回動が規制されている。また、図３に示すように、盤面部材３５の背面に突出して形成される複数のボス５４ａ，５４ｂ，５４ｃのうち、搖動アーム４６の外側面と対応するボス５４ａは、搖動アーム４６の下方への回動を規制する。
【００３７】
作動杆５２の上方及び下方には、上下方向に長く形成される長孔５５が二箇所に設けられている。この長孔５５は、ボス５４ｂに摺動自在に係合されている。よって、長孔５５とボス５４ｂとの係合により、作動杆５２は上下方向にガイドされている。作動杆５２は、作動杆５２の略中央部の開口部５６内に配置されるばね５７により下方に向けて付勢されている。ばね５７は、一端を開口部５６の内部に位置するボス５４ｃ（図３参照）と係止され、他端を作動杆５２から突出して形成される係止部５２ｅ（図４参照）と係止される。
【００３８】
次に、図６に基づいて、押しボタン５１の操作により作動杆５２が上下動される機構を説明する。図６は図４のＶＩ−ＶＩ断面であり、図６（ａ），（ｂ）及び図７（ａ），（ｂ）は、押しボタン５１の操作により作動杆５２が上下動する様子を示している。
【００３９】
図６（ａ）に示すように、押しボタン５１は、ベース部５０の穴５０ａから突出される。押しボタン５１は、外形上部をドーム状に形成され、押しボタン５１を上面視すれば長軸を左右方向にした楕円形状に形成されている。押しボタン５１の外形側面は、縦断面視において上下方向に直線状に形成されている。よって、押しボタン５１は、ベース部５０に対して上下動自在に設けられている。押しボタン５１の下端はフランジ状の環状突出部５１ａが形成されている。環状突出部５１ａは穴５０ａの段部５０ｂと当接し、上方向の移動が規制されている。
【００４０】
押しボタン５１は、縦断面視における押しボタン５１の中央から棒状に下方に延びる当接棒状部５１ｂが形成されている。押しボタン５１の下方には、搖動係脱部材６１が設けられている。搖動係脱部材６１は、前後方向に長く形成され、上面に平坦な平坦面６１ａが形成されている。当接棒状部５１ｂに対応する平坦面６１ａ上には、凹状に形成される凹部６１ｂが形成されている。凹部６１ｂには、図６（ａ）の定常状態において当接棒状部５１ｂの下面と平行に当接する傾斜面６１ｂ１が設けられている。
【００４１】
搖動係脱部材６１の長手方向中央からやや前方寄りの側面二箇所には、左右方向にボス状に突出する支点軸６１ｄが形成されている。一方、底面５０ｃからは、底面５０ｃの内面から立設し、平面が左右方向に向くよう設けられた板状の支点支持部５０ｆが形成されている。そして、支点軸６１ｄは、支点支持部５０ｆの上端面に載置されるようにして支持されている。この支点軸６１ｄにより、搖動係脱部材６１は、前後に移動自在であって、かつ、搖動自在に支持される。
【００４２】
一方、搖動係脱部材６１の平坦面６１ａ前方寄りには、搖動係脱部材６１の長手方向に長く開く長孔６１ｃが形成されている。そして、この長孔６１ｃには、ベース部５０の底面５０ｃの内面から上方に向けて立設する円筒状のガイド棒５０ｄが挿通されている。よって、支点軸６１ｄは、支点支持部５０ｆ上を摺接しながら移動可能にされているので、搖動係脱部材６１は、この長孔６１ｃとガイド棒５０ｄが当接する範囲内で、前後に移動可能に形成されている。
【００４３】
ガイド棒５０ｄの外周には、ばね６２が設けられている。ばね６２の上端は、長孔６１ｃの縁部分より外側の、平坦面６１ａの裏面と当接している。よって、搖動係脱部材６１は、ばね６２により凹部６１ｂ側を上方に付勢されている。また、ばね６２は、当接棒状部５１ｂよりも後方側であって、支点軸６１ｄよりも前方側に位置しているので、当接棒状部５１ｂよりも前方側にばね６２が位置する場合よりも弱い力で押しボタン５１を押すことができる。
【００４４】
そして、搖動係脱部材６１の一端側としての後方の端部には、舌片状に突出して形成された舌片状係止部６１ｅが突出している。舌片状係止部６１ｅは、縦断面において、先端下方を凸湾曲状に形成される先端湾曲部６１ｅ１が設けられている。
【００４５】
一方、作動杆５２は、平板状に上下の長手方向に延びる作動杆５２の本体としての平板状部５２ａが形成されている。平板状部５２ａの左右両側には、前方側に向けて壁状に立設する側壁５２ｂが、平板状部５２ａに沿って形成されている。側壁５２ｂの下方部分は、側壁下端部５２ｂ１として側面視三角形状に形成されている。そして、側壁下端部５２ｂ１に挟まれるようにして、平板状部５２ａの下端から前方に向けて鉤状に係止受部５２ｃが突出している。係止受部５２ｃの基端部と平板状部５２ａで形成される角部には、側面視三角形状のリブ５２ｄが形成されている。リブ５２ｄは、後方側から前方側に向かって下る方向となるように傾斜して形成されている。
【００４６】
搖動係脱部材６１の幅は、作動杆５２の側壁５２ｂ間に挿通可能な程度に形成されている。そして、搖動係脱部材６１の舌片状係止部６１ｅは、図６（ａ）に示す、押しボタン５１を押す前の定常状態においては、係止受部５２ｃの下側に入り込んでいる。
【００４７】
次に、押しボタン５１を押してから作動杆５２が上下する動作を、図６（ａ），（ｂ）及び図７（ａ），（ｂ）に基づいて説明する。まず、図６（ａ）の押しボタン５１を押す前の定常状態から、ばね６２の付勢力に抗して押しボタン５１を押すと、当接棒状部５１ｂも下に押し下げられるので、搖動係脱部材６１は支点軸６１ｄ回りに回動し、舌片状係止部６１ｅは上昇する。すると、作動杆５２は上昇する。このとき、搖動係脱部材６１が平行になる位置を超えて、一端側である舌片状係止部６１ｅが上方に位置して搖動係脱部材６１が傾斜すると、当接棒状部５１ｂの下面と平坦面６１ａとが線接触し、搖動係脱部材６１は前方に移動する。そして、図６（ｂ）に示すように、作動杆５２が上昇限近傍まで上昇すると、搖動係脱部材６１の前方への移動により、舌片状係止部６１ｅと係止受部５２ｃとの係合が外れ、図７（ａ）に示す状態となる。
【００４８】
また、作動杆５２は、ばね５７により下方に付勢されている。従って、舌片状係止部６１ｅと係止受部５２ｃとの係合が外れると、作動杆５２は、勢いよく下方に移動する。そして、押しボタン５１から手を離して、搖動係脱部材６１が平行になる位置を超えて、一端側である舌片状係止部６１ｅが下方に位置して搖動係脱部材６１が傾斜すると、当接棒状部５１ｂと平坦面６１ａとの線接触により、搖動係脱部材６１は後方に移動する。しかしながら、図７（ｂ）に示すように、作動杆５２が下限近傍に位置すると、舌片状係止部６１ｅの先端湾曲部６１ｅ１がリブ５２ｄの端面と接触して、リブ５２ｄの端面上を滑り落ちる。このとき、リブ５２ｄの端面は傾斜しているので、搖動係脱部材６１は前方に僅かに移動する。そうすると、舌片状係止部６１ｅは、係止受部５２ｃを乗り越える。舌片状係止部６１ｅが係止受部５２ｃを乗り越えた後は、舌片状係止部６１ｅが下方に位置するように搖動係脱部材６１は傾斜しているので、当接棒状部５１ｂの下面と平坦面６１ａとは線接触し、これにより搖動係脱部材６１は後方に移動する。そして、搖動係脱部材６１は、当接棒状部５１ｂの下面が凹部６１ｂの傾斜面６１ｂ１と平行に当接する位置まで後方移動する。当接棒状部５１ｂの下面が凹部６１ｂの傾斜面６１ｂ１と平行に当接すると、図６（ａ）に示す状態となる。
【００４９】
このようにして、作動杆５２は、押しボタン５１の押し操作により上下動作される。そして、作動杆５２が上昇すると、駒体載置部材４１は自重により下方になるように搖動軸４５回りに回動する。そして、押しボタン５１を押し切ると、搖動係脱部材６１の舌片状係止部６１ｅと作動杆５２の係止受部５２ｃの係合が解除され、作動杆５２は勢いよく下方に移動する。このとき、当接部５３ｂと搖動アーム４６とは当接しているので、駒体載置部材４１は上方に移動するようにして搖動軸４５回りに回動する。このとき、駒体載置部４３に載置されている駒体１０は、一段上方の対向する駒体載置部４３に向けて投射され移送される。最上段の駒体載置部４３に駒体１０が載置されている場合には、押しボタン操作により、駒体受部３４に向けて投射される。
【００５０】
駒体受部３４に向けて投射された駒体１０は、駒体受部３４から転動して、上部連結部としての上開口部７２を通過して駒体下降移送部８０における最上段の横架部材８６へと移送される。
【００５１】
次に、駒体下降移送部８０の構成を図１に基づいて説明する。駒体下降移送部８０は、全体を上下方向に長い矩形形状とされるフレーム８４が形成されている。フレーム８４の上方三分の二程は枠状に大きく開口する枠状部とされる。この開口している部分には、左右方向に渡って、はしご状に横架部材８６が形成されている。本実施例においては、上下方向に等間隔で五段の横架部材８６が設けられている。横架部材８６は、図８（ａ）及び（ｂ）に示すように、縦断面形状の上下部が略三角形状の凸部となるように形成されている。
【００５２】
また、図１に示すように、フレーム８４の下側には、駒体１０が収納される駒体収納部８１が形成されている。駒体収納部８１は、正面視円形の凹状に形成されている。駒体収納部８１の側面には、一片を支持され、三方に切込みを設けて弾性力が生じるように形成された係止片８１ａが対向する二箇所に形成されている。係止片８１ａの端部には突起８１ａ１が形成され、駒体収納部８１に押し込まれた駒体１０に突起８１ａ１が嵌まり込むように形成されている。駒体収納部８１と連接した上方には、駒体１０を取り出すための取り出し口８１ｂが形成されている。
【００５３】
フレーム８４の上面には、駒体１０を投入可能に開口される投入口８２が設けられている。駒体１０は、この投入口８２から投入されると、最上段の横架部材８６から順次はしご下りの要領で下方に移送される。前述の駒体受部３４に投射された駒体１０も同様に、上開口部７２を転動して通過して、多段に形成された横架部材８６をはしご下りの要領で下方に移送される。
【００５４】
ここで、図８（ａ）及び（ｂ）により、駒体１０の構成と、はしご下りの様子を説明する。図８（ａ）に示すように、駒体１０は、第一駒体片１１と第二駒体片１２とが接合されて形成されている。第一駒体片１１と第二駒体片１２の接合は、圧入嵌合による接合であっても、接着剤による接合であってもよい。第一駒体片１１と第二駒体片１２は、外観を対称にして形成されている。
【００５５】
第一駒体片１１及び第二駒体片１２には、それぞれ円盤状のベース部１１ａ，１２ａが形成されている。ベース部１１ａ，１２ａの円周縁には、円形のベース部１１ａ，１２ａの縁の一部に倣って隆起する隆起部１１ｂ，１２ｂが、図８（ａ）において上下方向に対向して二箇所に形成されている。そして、二箇所の隆起部１１ｂ，１２ｂの間の中央には、リブ状のリブ突起１１ｃ，１２ｃが形成されている。そして、第一駒体片１１と第二駒体片１２は、リブ突起１１ｃ，１２ｃの平坦面が接合することにより形成されている。
【００５６】
そして、第一駒体片１１と第二駒体片１２が接合されると、対向する隆起部１１ｂ，１２ｂにより、溝部１３が上下二箇所に形成される。溝部１３は、円筒状に形成される空間であって、この空間の断面円直径をＨとされる円筒部１３ａと、この円筒部１３ａから上下方向に開口し、前後方向の幅Ｓとして形成される開口端部１３ｂとによりなる。一方、横架部材８６は、縦断面における上下方向の幅をｈ、前後方向の幅をｓとして形成されている。このとき、横架部材８６の前後方向の幅ｓよりも上下方向の幅ｈが広く形成されている。そして、円筒部１３ａの直径Ｈは、横架部材８６の上下方向幅ｈよりも僅かに広く形成される。また、開口端部１３ｂの幅Ｓは、横架部材８６の上下方向幅ｈよりも狭く、横架部材８６の前後方向の幅ｓよりも僅かに広く形成されている。
【００５７】
よって、駒体１０の溝部１３は、図８（ａ）に示すように、横架部材８６に対して垂直に並んだときに、横架部材８６と係脱自在であり、駒体１０が横架部材８６に対して回転しているときには、係合状態が維持され、駒体１０は横架部材８６から外れることはない。また、横架部材８６の縦断面における上下の端部の形状は、略三角形状に形成され、鈍角の頂点部８６ａが形成されている。これにより、横架部材８６における溝部１３の開口端部１３ｂへの係合と、横架部材８６が溝部１３の円筒部１３ａと係合した際の駒体１０の回転がスムーズに行われることとなる。そして、駒体１０は、第一駒体片１１側又は第二駒体片１２側のどちらか一方側から回転して、図８（ｂ）に示すように、下段の横架部材８６と係合し、ガイドレール部８３に到達するまでこの係合が繰り返される。
【００５８】
次に、図９（ａ），（ｂ）により、ゲート部９０の構成を説明する。図９（ａ），（ｂ）は、駒体下降移送部８０の下方内部に設けられたゲート部９０を背面側から見た斜視図である。図９（ａ），（ｂ）に示すように、ガイドレール部８３は、左右方向に長く壁状にガイド壁８３ａが前後に対向して形成されている。なお、図９（ａ），（ｂ）はゲート部９０の内部構造をして示しているので、後側のガイド壁８３ａが省略されている。
【００５９】
前後のガイド壁８３ａ間には、傾斜面８３ｂが形成されている。傾斜面８３ｂは、下開口部７３側に向かって下る斜面として形成されている。ガイドレール部８３の下開口部７３側には、ゲート部９０が設けられている。ゲート部９０には、上下に摺動自在に形成されるレバー９１が設けられている。ゲート部９０には、レバー９１が設けられている。レバー９１は、下方から弾性部９２により上方に向けて付勢されている。弾性部９２は、圧縮コイルばねを下方から支持することにより形成されている。そして、ゲート部９０の下開口部７３側には、レバー９１と一体とされ、平面が傾斜面８３ｂの長手方向と直交するように形成される当接係止部９１ａが形成されている。なお、レバー９１の上下方向は、図１に示すように、レバー９１の上下動をガイドするようにフレーム８４に矩形に開口されたガイド枠８７の上辺及び下辺により規制されている。
【００６０】
図９（ａ）に示すように、ゲート部９０には、当接係止部９１ａに対向する位置に規制板９３が設けられている。そして、当接係止部９１ａと規制板９３との間には、回動自在に連結回動杆９４が設けられている。連結回動杆９４は、前後方向に形成される回動軸９４ａ回りに回動する。そして、回動軸９４ａ回りから、丸棒状の二つの連結杆９４ｂ，９４ｃが左右に伸びている。一方の連結杆９４ｂは、当接係止部９１ａに形成される孔９１ａ１に挿入されている。他方の連結杆９４ｃは、規制板９３の孔９３ａに挿入されている。孔９１ａ１，９３ａは、連結杆９４ｂ，９４ｃに対して若干大きく形成される。よって、孔９１ａ１，９３ａと連結杆９４ｂ，９４ｃの間には隙間が形成されている。なお、規制板９３は、この連結杆９４ｃと孔９３ａとの係合により下方に落下しないよう支持されている。
【００６１】
このように構成されるゲート部９０は、図９（ａ）の定常状態においては、レバー９１が弾性部９２により上方に付勢され、当接係止部９１ａの上部の一部が傾斜面８３ｂから突出している。よって、駒体１０は、図９（ａ）の定常状態においては、当接係止部９１ａと当接し、転動による移動が規制されている。そして、レバー９１を押し下げると、当接係止部９１ａが下方に下がる。すると、当接係止部９１ａは傾斜面８３ｂから没入し、当接係止部９１ａによる駒体１０の転動規制が解除される。よって、駒体１０は、下開口部７３を通過して、駒体上昇移送部３０へと移送される。また、レバー９１を押し下げて当接係止部９１ａが下方に下がると、連結杆９４ｂは下方に移動する。すると、連結杆９４ｃは上方に移動する。この連結杆９４ｃの上方移動により、規制板９３は傾斜面８３ｂから突出する。このとき、転動規制が解除された駒体１０の次に待機している駒体１０と、この規制板９３が当接する。これにより、駒体１０が二つガイドレール部８３に載置されている場合においても、レバー９１による駒体上昇移送部３０への駒体１０の移送は一つずつ行われることとなる。そして、レバー９１から手を離せば、規制板９３により転動移動が規制されていた駒体１０の転動規制が解除される。そして、この駒体１０は、当接係止部９１ａと当接する位置まで転動して移動して、図９（ａ）の状態となる。
【００６２】
以上、本発明の実施形態を説明したが、本発明は本実施形態に限定されるものではなく、種々の変更を適宜加えて実施することができる。例えば、本実施例においては、駒体上昇移送部３０と駒体下降移送部とは隣接して形成したが、本発明はこれに限られず、駒体上昇移送部３０と駒体下降移送部８０とを離間して形成することもできる。この場合、上部連結部としての上開口部７２に換えて、駒体受部３４から最上段の横架部材８６に渡るガイドレール等を上部連結部とすることができる。同様に、下開口部７３に換えて、ガイドレール部８３から最下段の駒体載置部材４１に渡すガイドレール等を下部連結部とすることができる。
【符号の説明】
【００６３】
１        駒体移送玩具                １０      駒体
１１      第一駒体片                  １１ａ    ベース部
１１ｂ    隆起部                      １１ｃ    リブ突起
１２      第二駒体片                  １２ａ    ベース部
１２ｂ    隆起部                      １２ｃ    リブ突起
１３      溝部                        １３ａ    円筒部
１３ｂ    開口端部
３０      駒体上昇移送部
３２      盤面                        ３３      ガイド部
３４      駒体受部                    ３５      盤面部材
３６      壁部                        ３７      透明板
３８      駒体排出部                  ３９      駒体排出ガイド部
４１      駒体載置部材                ４２      絵柄板
４３      駒体載置部                  ４４      支持杆部
４５      搖動軸                      ４５ａ    平坦部
４６      搖動アーム                  ４６ａ    穴部
４７      軸受部材
５０      ベース部
５０ａ    穴                          ５０ｂ    段部
５０ｃ    底面                        ５０ｄ    ガイド棒
５０ｆ    支点支持部                  ５１      押しボタン
５１ａ    環状突出部                  ５１ｂ    当接棒状部
５２      作動杆                      ５２ａ    平板状部
５２ｂ    側壁                        ５２ｂ１  側壁下端部
５２ｃ    係止受部                    ５２ｄ    リブ
５３      張出部                      ５３ａ    突出板
５３ｂ    当接部                      ５４ａ    ボス
５４ｂ    ボス                        ５４ｃ    ボス
５４ｄ    ボス                        ５５      長孔
５６      開口部                      ５７      ばね
６１      搖動係脱部材
６１ａ    平坦面                      ６１ｂ    凹部
６１ｂ１  傾斜面                      ６１ｃ    長孔
６１ｄ    支点軸                      ６１ｅ    舌片状係止部
６１ｅ１  先端湾曲部                  ６２      ばね
７１      接続壁                      ７２      上開口部
７３      下開口部                    ８０      駒体下降移送部
８１      駒体収納部                  ８１ａ    係止片
８１ａ１  突起                        ８１ｂ    取り出し口
８２      投入口                      ８３      ガイドレール部
８３ａ    ガイド壁                    ８３ｂ    傾傾斜面
８３ｂ    傾斜面                      ８４      フレーム
８６      横架部材                    ８６ａ    頂点部
８７      ガイド枠                    ９０      ゲート部
９１      レバー                      ９１ａ    当接係止部
９１ａ１  孔                          ９２      弾性部
９３      規制板                      ９３ａ    孔
９４      連結回動杆                  ９４ｂ    連結杆
９４ｃ    連結杆
【図１】
2015217210.tif 000003
【図２】
2015217210.tif 000004
【図３】
2015217210.tif 000005
【図４】
2015217210.tif 000006
【図５】
2015217210.tif 000007
【図６】
2015217210.tif 000008
【図７】
2015217210.tif 000009
【図８】
2015217210.tif 000010
【図９】
2015217210.tif 000011